(57)【要約】【課題】  孔明きディスクの収納ケースに突設したディスク孔支持部の使用途中における折れ曲りや欠損事故を防ぐこと。【解決手段】  ほぼ皿状のプラスチック基板１を中央二本のヒンジ溝２から折り畳み可能に連設し、基板内面に突設したディスク孔支持部３で孔明きディスク４を支持して収納できるケースを構成するに当たり、前記基板１の内面に孔明きディスク４の外側非記録面４Ｂを載せる一部切欠の突環５と、その中心部にディスクの内側非記録面４Ｃを載せる段丘面６とを形成する一方、ほぼ半円形の上辺７を有する幅広円弧形の直立弾片８と、その外周上部に面取り部９付きの抜け止め鉤縁１０とを有する縦断面『状のディスク孔支持部３を前記段丘面６に対向突設した。【選択図】      図１
0003127113.tif 000002
【実用新案登録請求の範囲】
【請求項１】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有する縦断面『状のディスク孔支持部を前記段丘面に所定間隔を保ち対向突設してなる孔明きディスクの収納ケース。
【請求項２】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有する縦断面『状のディスク孔支持部を前記段丘面に所定間隔を保ち対向突設してなり、前記各直立弾片を内向きに撓ませて前記鉤縁を経て直立弾片に係入したディスクセンタ孔の縁辺を原状復帰した直立弾片の各鉤縁で抜け止めしてなる孔明きディスクの収納ケース。
【請求項３】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有する縦断面『状のディスク孔支持部を前記段丘面に所定間隔を保ち対向突設し、かつ前記各直立弾片の立ち上げ端中央を切除して立ち上げ端の幅を狭くした孔明きディスクの収納ケース。
【請求項４】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有する縦断面『状のディスク孔支持部を前記段丘面に所定間隔を保ち対向突設し、かつ前記各直立弾片の立ち上げ端中央部を切除することで、立ち上げ端の幅を狭くしてなり、前記各直立弾片を内向きに撓ませて前記鉤縁を経て直立弾片に係入したディスクセンタ孔の縁辺を原状復帰した直立弾片の各鉤縁で抜け止めしてなる孔明きディスクの収納ケース。
【請求項５】
前記突環の切欠部を前記抜け止め鉤縁に対向した突環部分に形成した請求項１から請求項４までのいずれか一つの請求項に記載の孔明きディスクの収納ケース。
【請求項６】
前記段丘面の外周辺に孔明きディスクの内側非記録面を載せる突環を突設してなる請求項１から請求項５までに記載の孔明きディスクの収納ケース。
【請求項７】
前記ケースに形成した立ち上げ側辺同士を凹凸係合部で係合させることで、ケースの折り畳み形態を確保可能にした請求項１から請求項６までのいずれか一つの請求項に記載の孔明きディスクの収納ケース。
【請求項８】
前記ヒンジ溝の対向側における前記立ち上げ側辺に指掛け凹部を設けてなる請求項７に記載の孔明きディスクの収納ケース。
【考案の詳細な説明】
【技術分野】
【０００１】
本考案は、孔明きディスクを収納するプラスチック製偏平ケース内面のディスク孔支持部の変形や欠損事故を防止できた孔明きディスクの収納ケースに関する。
【背景技術】
【０００２】
従来、水平上辺に連設した抜け止め鉤部付きの中間直立部と、これに連設した水平下片とを有する横方向に細長いクランク状の支持弾片の三本以上をプラスチック基板成形時にに均等放射状に一体突設し、各ディスク孔支持部で孔明きディスクを支持できるディスク支持板とか、ディスク収納ケースが下記の特許文献１と特許文献２により周知である。
【特許文献１】特許第２６９４６０６号公報
【特許文献２】特開２００１−１１４３７２号公報
【考案の開示】
【考案が解決しようとする課題】
【０００３】
前記特許文献１および特許文献２における支持弾片に孔明きディスクを、そのセンタ孔で支持するには、上記抜け止め鉤部の上部における面取り部にディスクセンタ孔の縁辺を当てがった後、その係入力で各鉤部を弾片弾力に抗し中央に向けて寄せ集めつつ、ディスクのセンタ孔を上記中間直立部に係入すると上記寄せ集め状態の各鉤部が弾片弾力で外向きに一発復帰して中間直立部に係入したディスクセンタ孔の抜け止めが施せる。
【０００４】
ところが、上記各中間直立部から抜け止め鉤部を経て孔明きディスクを抜去するには、各直立部の水平上辺を水平下片の弾力に抗し手指などで強く押すことで、各直立部を中央方向に僅かに傾け、その抜け止め鉤部を内向きに寄せながら、孔明きディスクを斜めに持ち上げることで、上記内寄り状態にある各鉤部から孔明きディスクのセンタ孔の縁辺を外して各中間直立部から孔明きディスクを抜去する必要が有る。
【０００５】
上記各特許文献における肝心な支持弾片は両者共、水平上辺に連設した中間直立部と、この直立部に連設した水平下片とを有する例えば全長が円弧幅よりも二倍以上の横方向に細長い縦断面が先細クランク状の撓み耐久力に弱い先細支持弾片だから、孔明きディスクを上記のように抜去する度び毎に上記水平下片に繰り返し加わる強い撓みと、その復元回数の増加に伴ない、基板とディスク孔支持部の成形時における成形素材の混合比率や、成形条件とか、成形精度などの各バラツキにより、多数のディスク孔支持部の中には、上記撓み耐久力に堪えなくなる物が出てきて、ディスク孔支持部が使用途中で折れ曲がったり、欠損事故して使い物にならなくなるという根源的な大きい問題点が有る。
【０００６】
この考案は、孔明きディスクの収納ケースに突設したディスク孔支持部の使用途中における折れ曲りや欠損事故を防ぐことを目的とする。
【課題を解決するための手段】
【０００７】
上記したこの考案の目的は、ほぼ皿状のプラスチック基板を中央二本のヒンジ溝から折り畳み可能に連設し、基板内面に突設したディスク孔支持部で孔明きディスクを支持して収納できるケースを構成するに当たり、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有する縦断面『状のディスク孔支持部を前記段丘面に所定間隔を保ち対向突設したことで達成できた。
【考案の効果】
【０００８】
本考案は、孔明きディスクのセンタ孔を前記抜け止め鉤縁の面取り部に係入し始めると、この係入力で各直立弾片をその弾力に抗し中央に向けて寄せ集めつつ、ディスクのセンタ孔を上記直立弾片に係入でき、その後各直立弾片は自己弾力で外向きに一発復帰して、直立弾片に係入したディスクセンタ孔の抜け止めを上記鉤縁で施せる一方、前記各上辺を直立弾片の弾力に抗し一方の手指などで強く押せば、各直立弾片は中央方向に僅かに傾いて各鉤縁を鉤幅以上の寸法分内側に寄せるので、上記センタ孔縁辺から抜け止め鉤縁が外れ、孔明きディスクを他方の手指などで斜めに持ち上げれば、各ディスク孔支持部からディスクを抜去できる。
【０００９】
したがって、本考案によれば、前記段丘面に所定間隔を保ち対向突設した二つの直立弾片を幅広円弧形となしたので、各直立弾片に繰り返し加わる強い撓みと、その復元という無理な繰り返し応力を分散でき、基板とディスク孔支持部の一体成形時における成形素材の混合比率や、成形条件とか成形精度などにバラツキが多少有ったとしても、肝心の直立弾片は、上記のように幅広円弧形で撓みと復元の繰り返しに対する耐久性に優れているから、折れ曲がり変形せず、欠損事故も生じないという優れた効果が有る。
【００１０】
本考案における請求項３・４のように、前記各直立弾片の立ち上げ端の中央を切除すれば、各弾片の円弧幅を変えずに立ち上げ端幅だけを狭くできたので、弾片強度をさほど弱化させずに各直立弾片が撓み易くなり、孔明きディスクを抜去し易くなった。
【００１１】
本考案における請求項５に記載の考案のように、前記突環の切欠部をディスク孔支持部の抜け止め鉤縁に対向して形成すれば、直立弾片から孔明きディスクを抜去するに際に、上記切欠部を経て手指で斜めに持ち上げた孔明きディスクのセンタ孔の縁辺を他方の手指で内寄せした各抜け止め鉤縁から外し、抜去し易くなった。
【００１２】
本考案における請求項６の考案のように、前記段丘面の外周辺に前記孔明きディスクの内側非記録面を載せる突環を突設すれば、ディスクの内側非記録面を線接触で支えるから、内側非記録面に付く擦過傷を幾分でも防止できるし、請求項７および請求項８に記載の考案のように、ケースに形成した立ち上げ側辺同士を凹凸係合手段で係合させることで、ケースの折り畳み形態を確保できると共に、前記ヒンジ溝の対向側における立ち上げ側辺に指掛け用の凹部を設ければ、ケースを前記ヒンジ溝から開け広げ易くできる。
【考案を実施するための最良の形態】
【００１３】
本考案を実施するための最良の形態例について図面を参照して説明すると、例えば熱可塑性プラスチック素材で図１のような内側辺欠如のほぼ矩形皿状に射出成形して作った二枚の基板１を中央二本のＶカットヒンジ溝２から図２・図３のように折り畳み可能に連設して立ち上げ側辺１Ａを有する偏平なケースＡを作る。
【００１４】
次いで、上記ケースＡの内面に上記各図のよう一体的に対向突設したディスク孔支持部３に図１のような孔明きディスク４をそのセンタ孔４Ａで図２のように支持して収納できるケースＡを構成するに当たり、本考案では前記二枚の基板のうち、一方の基板１に孔明きディスク４の外側非記録面４Ｂを図３のように載せる一部切欠の突環５と、その中心部にディスク４の内側非記録面４Ｃを載せる段丘面６とを上記各図のように形成する。
【００１５】
一方、図４のような半径７ｍｍ程度のほぼ半円形の上辺７を有する幅広円弧形の直立弾片８と、その外周上部に面取り部９付きの抜け止め鉤縁１０とをそれぞれ有する同図４のような縦断面『状、またはギリシャ文字のΓ（ガンマ）状の二つのディスク孔支持部３を前記基板１の射出成形時に、前記上辺７同士の対向間隔を例えば２〜５ｍｍ程度保ち前記段丘面６にその型抜き孔６Ａを介して図４のように対向して一体突設することで、本考案による孔明きディスクの収納ケースＡを構成できた。
【００１６】
本考案による孔明きディスクの収納ケースＡは、以上のような構成となしたので、これを使用するに当たり、先ずケースＡを前記各ヒンジ溝２から図１のように開いた後、ディスク４のセンタ孔４Ａを前記直立弾片８の上部における面取り部９に図５のように係入し始めると、この係入力で各弾片８が自己弾力に抗し、図６のように鉤縁１０の鉤幅寸法だけ内向きに撓み、上記センタ孔４Ａを二つの直立弾片８に図７のように係入できると同時に、各鉤縁１０からディスクセンタ孔４Ａの縁辺が同図７のように外れるから、上記内向きに撓んでいた各直立弾片８が自己弾力により原状復帰して広がり、二つの直立弾片８に係入したディスクセンタ孔４Ａを二つの鉤縁１０で同図７のように抜け止めできる。
【００１７】
次いで、前記ケースＡを前記二本のヒンジ２から図３のように閉じ、その立ち上げ側辺１Ａ同士を凹凸係合部１Ｂ（図１・図２参照）で係合させることで、ケースＡの折り畳み形態を確保して保管したり持ち運んでもよく、前記ヒンジ溝２の対向側におけるケース立ち上げ側辺１Ａに図１・図２のような指掛け用の凹部１Ｃを設ければ、ケースＡを前記ヒンジ２から開け易くなる。
【００１８】
さらに、前記段丘面６の外周辺上面に孔明きディスク４の内側非記録面４Ｃを載せる突環６Ｂを前記各図のように突設すれば、ディスクの内側非記録面４Ｃを図７のようにリング状線接触で支えるようになるから、内側非記録面４Ｃに付く擦過傷を幾分でも防止できる一方、基板１の内面に前記ディスクに関連した小冊子類を挟み込み、これを位置決め支持するための保持弾片１１を図１のように形成してもよい。
【００１９】
次に、ケースＡから孔明きディスク４を取り出すには、ケースＡを前記二本のヒンジ２から図１のように開き、各直立弾片８の水平上辺７を弾片８の弾力に抗し、一方の手指で図８における矢示のように中央凹み状態に強く押し込み、各弾片８を中央寄りに僅かに傾け、二つの抜け止め鉤縁１０を鉤幅以上の寸法だけ同図８のように内向きに寄せつつ、孔明きディスク４の外周縁辺を前記突環５の切欠部５Ａを経た他方の手指で、図９・図１０のように斜めに持ち上げれば、上記内寄せした各鉤縁１０から孔明きディスク４のセンタ孔４Ａの縁辺を上記各図のように外せるので、孔明きディスク４をケースＡから取り出せるが、この取り出し後に直立弾片８は、自己弾力により図４のような原状に復帰する。
【実施例】
【００２０】
前記各直立弾片８の立ち上げ端の中央を前記各図のように切除すれば、各弾片の円弧幅を変えずに立ち上げ端幅だけを狭くできたので、各直立弾片８が撓み易くなり、孔明きディスク４をディスク孔支持部３から抜去し易くなった。
【００２１】
また、前記突環５の切欠部５Ａを前記各図のように直立弾片８の抜け止め鉤縁１０に対向した突環部分に形成すれば、直立弾片８から孔明きディスク４を抜去するに際に、図８のように上記切欠部５Ａを経た手指で、斜めに持ち上げた孔明きディスク４のセンタ孔４Ａの縁辺を同図のように内寄せ状態にある各抜け止め鉤縁１０から外し易くなり、直立弾片８から孔明きディスク４をより一層抜去し易くなった。
【産業上の利用可能性】
【００２２】
本考案による孔明きディスクの収納ケースは、前記ＣＤやＤＶＤ以外に、現在市中に広く出回っている他の孔明き円板状記録媒体の収納ケースとしても当然に利用できる。
【図面の簡単な説明】
【００２３】
【図１】本考案によるディスク収納ケースの一例を示す展開斜視図
【図２】図１に示すケースの折り畳み途中の斜視図
【図３】図２に示すケースの折り畳み終了状態の斜視図
【図４】本考案によるディスク孔支持部の一例を示す拡大斜視図
【図５】本考案による直立弾片にディスク孔を挿着する直前の拡大断面図
【図６】本考案による直立弾片にディスク孔を挿着する途中の拡大断面図
【図７】本考案による直立弾片にディスク孔を挿着した状態の拡大断面図
【図８】本考案による直立弾片からディスク孔を抜去する直前の拡大断面図
【図９】本考案による直立弾片からディスク孔を抜去する途中の断面図
【図１０】図９に示すものの要部拡大断面図
【符号の説明】
【００２４】
Ａ  ケース
１  ケースを構成する基板
１Ａ  立ち上げ側辺
１Ｂ  凹凸係合部
１Ｃ  指掛け凹所
２  ヒンジ溝
３  ディスク孔支持部
４  孔明きディスク
４Ａ  ディスクセンタ孔
４Ｂ  外側非記録面
４Ｃ  内側非記録面
５  外側非記録面を載せる突環
５Ａ  突環切欠部
６  段丘面
６Ａ  型抜き孔
６Ｂ  内側非記録面を載せる突環
７  上辺
８  直立弾片
９  面取り部
１０  直立弾片の抜け止め鉤縁
１１  小冊子類の保持弾片
【図１】
0003127113.tif 000003
【図２】
0003127113.tif 000004
【図３】
0003127113.tif 000005
【図４】
0003127113.tif 000006
【図５】
0003127113.tif 000007
【図６】
0003127113.tif 000008
【図７】
0003127113.tif 000009
【図８】
0003127113.tif 000010
【図９】
0003127113.tif 000011
【図１０】
0003127113.tif 000012
【手続補正書】
【提出日】平成18年9月13日(2006.9.13)
【手続補正１】
【補正対象書類名】実用新案登録請求の範囲
【補正対象項目名】全文
【補正方法】変更
【補正の内容】
【実用新案登録請求の範囲】
【請求項１】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有するディスク孔支持部を前記段丘面に所定間隔を保ち対向突設してなる孔明きディスクの収納ケース。
【請求項２】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有するディスク孔支持部を前記段丘面に所定間隔を保ち対向突設してなり、前記各直立弾片を内向きに撓ませて前記鉤縁を経て直立弾片に係入したディスクセンタ孔の縁辺を原状復帰した直立弾片の各鉤縁で抜け止めしてなる孔明きディスクの収納ケース。
【請求項３】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有するディスク孔支持部を前記段丘面に所定間隔を保ち対向突設し、かつ前記各直立弾片の立ち上げ端中央を切除して立ち上げ端の幅を狭くした孔明きディスクの収納ケース。
【請求項４】
ほぼ皿状のプラスチック基板を中央二本のヒンジ溝から折り畳み可能に連設し、基板内面に突設したディスク孔支持部で孔明きディスクを支持して収納できるケースにおいて、前記基板の内面に孔明きディスクの外側非記録面を載せる一部切欠の突環と、その中心部にディスクの内側非記録面を載せる段丘面とを形成する一方、ほぼ半円形の上辺を有する幅広円弧形の直立弾片と、その外周上部に面取り部付きの抜け止め鉤縁とを有するディスク孔支持部を前記段丘面に所定間隔を保ち対向突設し、かつ前記各直立弾片の立ち上げ端中央部を切除することで、立ち上げ端の幅を狭くしてなり、前記各直立弾片を内向きに撓ませて前記鉤縁を経て直立弾片に係入したディスクセンタ孔の縁辺を原状復帰した直立弾片の各鉤縁で抜け止めしてなる孔明きディスクの収納ケース。
【請求項５】
前記突環の切欠部を前記抜け止め鉤縁に対向した突環部分に形成した請求項１から請求項４までのいずれか一つの請求項に記載の孔明きディスクの収納ケース。
【請求項６】
前記段丘面の外周辺に孔明きディスクの内側非記録面を載せる突環を突設してなる請求項１から請求項５までのいずれか一つの請求項に記載の孔明きディスクの収納ケース。
【請求項７】
前記ケースに形成した立ち上げ側辺同士を凹凸係合部で係合させることで、ケースの折り畳み形態を確保可能にした請求項１から請求項６までのいずれか一つの請求項に記載の孔明きディスクの収納ケース。
【請求項８】
前記ヒンジ溝の対向側における前記立ち上げ側辺に指掛け凹部を設けてなる請求項７に記載の孔明きディスクの収納ケース。